(57)【要約】【課題】スプール用の大容量記憶デバイスをもたないプリンタで、ネットワークに接続された他のプリンタの記憶デバイスを利用してスプール機能を実装する。安価な構成のプリンタでもスプール機能を実装できる。【解決手段】ネットワークに接続された他のプリンタの記憶デバイスを利用して、スプール代替処理を行う。その際に、複数台のプリンタにスプールデータを分散することで、ビジー等でスプール代替できないプリンタがあったとしても、スプール代替処理が失敗することを防ぐ。【選択図】        図１
2005346443.tif 000002
【特許請求の範囲】
【請求項１】
文字、図形、ビットマップなどのコマンドおよびデータを受け取ってラスターデータに変換し、画像を出力するプリンタをネットワークに接続し、該プリンタを複数台ネットワーク接続したネットワークプリンティングシステムにおいて、該ネットワークプリンティングシステムは、再利用可能なラスターデータを記憶しておく記憶手段を備えたスプール機能付プリンタと、該記憶手段をもたないプリンタの２種類が接続されており、該記憶手段のないプリンタは、
該記憶手段をもたないプリンタは、ホストコンピュータ等からのプリント要求を受け取ると、スプール機能付プリンタにスプール代替要求信号を発信し、１台のスプール機能付プリンタが、スプール代替要求に対する許可信号もしくは不許可信号を返信し、
該記憶手段をもたないプリンタは、該許可信号を受け取ると、プリント要求に従って、文字、図形、ビットマップなどのコマンドおよびデータを受け取り、ラスターデータに変換し、画像出力装置に該ラスターデータを送信し、画像を出力すると同時に、ネットワークを介して、該承認信号を返信してきたスプール機能付プリンタにラスターデータを送信し、また、該一連のプリント処理を特定するための付帯情報も送信し、
該スプール機能付プリンタは、該ラスターデータおよび該付帯情報を受信し、ラスターデータを該付帯情報に応じて、該記憶手段に再利用できるように記憶し、
該記憶手段をもたないプリンタは、該一連のプリント処理を特定するための付帯情報とともに、スプール代替を許可した該スプール付プリンタの機体を特定するための情報を記憶するための付帯情報記憶手段をもち記憶しておき、操作者が該一連のプリント処理を再プリントする際には、該スプール機能付プリンタから該一連のプリント処理に対応するラスターデータを受信して、プリントする、
手順でスプール機能を実装し、
以上の方法で、該記憶手段をもたないプリンタでもスプール機能を実装することを特徴とするネットワークプリンティングシステム。
【請求項２】
請求項１において、該ラスターデータは、圧縮手段を用いて圧縮して送受信することを特徴とするネットワークプリンティングシステム。
【請求項３】
請求項１または２において、該付帯情報は、少なくとも、プリント要求時に使用された文書名、プリント時刻、スプール代替要求をしたプリンタの機体を特定するための情報を含むことを特徴とするネットワークプリンティングシステム。
【請求項４】
請求項１において、該記憶手段をもたないプリンタは、複数台の該スプール機能付プリンタにプリント代替要求信号を送信し、複数台の該スプール機能付プリンタのうちの１台のみ該許可信号が返信された場合は、該許可信号を返信した該スプール機能付プリンタでスプール代替処理を行い、複数台から該許可信号があった場合は、自動的に１台を選択し、スプール代替処理を行うことを特徴とするネットワークプリンティングシステム。
【請求項５】
請求項１において、該記憶手段をもたないプリンタは、１台以上の該スプール機能付プリンタにプリント代替要求信号を送信し、１台以上の該スプール機能付プリンタの全てから不許可信号を受け取った場合には、該付帯情報記憶手段に、スプール代替を許可した該スプール付プリンタの機体を特定するための情報の代わりに、スプールできなかったことを示す信号を記憶しておくことを特徴とするネットワークプリンティングシステム。
【請求項６】
請求項１ないし５いずれかにおいて、スプール機能を利用した再プリント指示があった場合に、実際にスプールされているスプール機能付プリンタから再プリントを行うことを特徴とするネットワークプリンティングシステム。
【発明の詳細な説明】
【技術分野】
【０００１】
ネットワークプリンティングシステムに関わる。
【背景技術】
【０００２】
ホストコンピュータなどから、プリンタに文書を出力する際に、出力時のデータを記憶（スプール）しておき、同一の文書であれば、スプールされたデータを再出力することで、ホストコンピュータ上でアプリケーションを再立ち上げし、プリントする時間や手間、また、プリンタ側では、文書をＲＩＰ（文字、図形、ビットマップデータなどをラスターデータ化）する時間を削減できる。こういった機能を実施したプリンタ、プリントサーバは既に実現されている（例えば、特許文献１）。
【特許文献１】特開平０６−０４００９２号公報
【発明の開示】
【発明が解決しようとする課題】
【０００３】
しかし、一般的には、スプール機能をもつためには、ハードディスクなどの大容量の記憶手段を搭載したシステムを構築するためにコストがかかり、比較的高価なプリンタにしか実装されていないのが現状である。
【０００４】
本発明は、以上の点に着目して成されたもので、複数台のプリンタがネットワーク接続されたネットワークプリンティングシステムにおいて、１台以上のスプール付プリンタが存在している場合に、該記憶手段をもたないプリンタは、該スプール付プリンタの記憶手段を利用してスプール機能を実装することで、安価でありながらスプール機能も使用可能なプリンタとして利用できるようにするネットワークプリンティングシステムを提供することを目的とする。
【課題を解決するための手段】
【０００５】
この発明は下記の構成を備えることにより上記課題を解決できるものである。
【０００６】
（１）文字、図形、ビットマップなどのコマンドおよびデータを受け取ってラスターデータに変換し、画像を出力するプリンタをネットワークに接続し、該プリンタを複数台ネットワーク接続したネットワークプリンティングシステムにおいて、該ネットワークプリンティングシステムは、再利用可能なラスターデータを記憶しておく記憶手段を備えたスプール機能付プリンタと、該記憶手段をもたないプリンタの２種類が接続されており、該記憶手段のないプリンタは、
該記憶手段をもたないプリンタは、ホストコンピュータ等からのプリント要求を受け取ると、スプール機能付プリンタにスプール代替要求信号を発信し、１台のスプール機能付プリンタが、スプール代替要求に対する許可信号もしくは不許可信号を返信し、
該記憶手段をもたないプリンタは、該許可信号を受け取ると、プリント要求に従って、文字、図形、ビットマップなどのコマンドおよびデータを受け取り、ラスターデータに変換し、画像出力装置に該ラスターデータを送信し、画像を出力すると同時に、ネットワークを介して、該承認信号を返信してきたスプール機能付プリンタにラスターデータを送信し、また、該一連のプリント処理を特定するための付帯情報も送信し、
該スプール機能付プリンタは、該ラスターデータおよび該付帯情報を受信し、ラスターデータを該付帯情報に応じて、該記憶手段に再利用できるように記憶し、
該記憶手段をもたないプリンタは、該一連のプリント処理を特定するための付帯情報とともに、スプール代替を許可した該スプール付プリンタの機体を特定するための情報を記憶するための付帯情報記憶手段をもち記憶しておき、操作者が該一連のプリント処理を再プリントする際には、該スプール機能付プリンタから該一連のプリント処理に対応するラスターデータを受信して、プリントする、
手順でスプール機能を実装し、
以上の方法で、該記憶手段をもたないプリンタでもスプール機能を実装することを特徴とするネットワークプリンティングシステム。
【０００７】
（２）前記（１）において、該ラスターデータは、圧縮手段を用いて圧縮して送受信することを特徴とするネットワークプリンティングシステム。
【０００８】
（３）前記（１）または（２）において、該付帯情報は、少なくとも、プリント要求時に使用された文書名、プリント時刻、スプール代替要求をしたプリンタの機体を特定するための情報を含むことを特徴とするネットワークプリンティングシステム。
【０００９】
（４）前記（１）において、該記憶手段をもたないプリンタは、複数台の該スプール機能付プリンタにプリント代替要求信号を送信し、複数台の該スプール機能付プリンタのうちの１台のみ該許可信号が返信された場合は、該許可信号を返信した該スプール機能付プリンタでスプール代替処理を行い、複数台から該許可信号があった場合は、自動的に１台を選択し、スプール代替処理を行うことを特徴とするネットワークプリンティングシステム。
【００１０】
（５）前記（１）において、該記憶手段をもたないプリンタは、１台以上の該スプール機能付プリンタにプリント代替要求信号を送信し、１台以上の該スプール機能付プリンタの全てから不許可信号を受け取った場合には、該付帯情報記憶手段に、スプール代替を許可した該スプール付プリンタの機体を特定するための情報の代わりに、スプールできなかったことを示す信号を記憶しておくことを特徴とするネットワークプリンティングシステム。
【００１１】
（６）前記（１）ないし（５）いずれかにおいて、スプール機能を利用した再プリント指示があった場合に、実際にスプールされているスプール機能付プリンタから再プリントを行うことを特徴とするネットワークプリンティングシステム。
【発明の効果】
【００１２】
ラスターデータ後の画像データをネットワーク上に接続されたスプール機能付プリンタにスプール代替処理をしてもらうことで、安価な構成のプリンタであっても、スプール機能を実施できる。
【００１３】
ネットワークに接続された複数のスプール機能付プリンタにスプール代替処理を依頼し、許可信号を返信したスプール機能付プリンタの１台を自動選択するように実装することで、１台のスプール機能付プリンタにスプール代替処理を行ってもらうよりも、スプール代替処理の失敗確率が減るために、スプール代替処理のサービス性向上が図れる。
【発明を実施するための最良の形態】
【００１４】
以下本発明を実施するための最良の形態を、実施例により詳しく説明する。
【実施例１】
【００１５】
図１に本発明を説明する図を示す。
【００１６】
請求項１に上述した通り、文字、図形、ビットマップなどのコマンドおよびデータを受け取ってラスターデータに変換し、画像を出力するプリンタのうち、再利用可能なラスターデータを記憶しておく記憶手段を備えたプリンタをここでは、スプール機能付プリンタと呼ぶ。該記憶手段のことをスプールデータ記憶手段と呼ぶことにする。
【００１７】
図１で、１０１はスプール機能付プリンタ、１０３は、該記憶手段を持たないプリンタで、図には単にプリンタと記述することにする。１０４は、ホストコンピュータ、１０５は、Ｅｔｈｅｒｎｅｔ(登録商標)等を利用して相互に接続することを可能にするネットワークを模式的に表している。
【００１８】
図２は、スプールデータ記憶手段を持たないプリンタの構成を示したブロック図である。
【００１９】
２０１は、ネットワークとプリンタとを接続するために設けられたネットワーク接続手段であり、２０２は、ラスターデータを圧縮してデータサイズを小さくしたり、受信した圧縮データを伸張してラスターデータにするための圧縮伸張手段、２０３は、一時的にデータを記憶しておくためのＲＡＭなどを用いた一時記憶手段、２０４は、汎用の演算プロセッサであるＣＰＵ、２０５は、画像をプリントするための画像出力装置、２０６は、付帯情報を記憶しておくための付帯情報記憶手段である。
【００２０】
図３は、スプール機能付プリンタの構成を示したブロック図である。
【００２１】
３０１は、ネットワークとプリンタとを接続するために設けられたネットワーク接続手段であり、３０２は、ラスターデータを圧縮してデータサイズを小さくしたり、受信した圧縮データを伸張してラスターデータにするための圧縮伸張手段、３０３は、一時的にデータを記憶しておくためのＲＡＭなどを用いた一時記憶手段、３０４は、汎用の演算プロセッサであるＣＰＵ、３０５は、画像をプリントするための画像出力装置、３０６は、スプールデータ記憶手段である。
【００２２】
スプールデータ記憶手段３０６は、ラスターデータが記憶容量を多く必要とすることから、ＨＤなど記憶容量の大きなデバイスを使用することが多い。これに対して、付帯情報記憶手段は、文書名やプリント時刻など、ラスターデータに比較すると、記憶容量が少なくてすむため、スプールデータ記憶手段３０６を実装する場合に比べて、安価にシステムを構成することが可能である。
【００２３】
図１〜３を用いて、詳細に説明していく。
【００２４】
まず、ホストコンピュータ１０４は、ワードプロセッサや表計算などのアプリケーションを用いて作成された文書をプリントするために、プリンタ１０３にプリント処理を指示する。
【００２５】
プリンタ１０３は、該プリント処理の指示されると、スプール付プリンタにスプール代替要求を送信する。
【００２６】
スプール付プリンタ１０１は、スプール代替要求を受信すると、該スプール付プリンタの状態に応じて、スプール代替の許可信号、不許可信号を返信する。
【００２７】
該プリンタ１０３は、スプール代替の不許可信号を受信した場合は、付帯情報記憶手段２０６に、一連のプリント処理の付帯情報、例えばプリントされる文書名、プリント時刻、プリントを指示したホストコンピュータを特定するホスト名やユーザーアカウント名などの情報とともに、スプールできなかったことを示す信号を記憶し、プリント処理を続行することになる。ホストコンピュータ１０４から、文字、図形、ビットマップなどのコマンドやデータを受信し、ＲＩＰ処理を行い、ラスターデータに変換し、一時記憶手段に記憶して、画像出力装置から画像を出力する。
【００２８】
該プリンタ１０３は、スプール代替の許可信号を受信すると、ホストコンピュータ１０４から、文字、図形、ビットマップなどのコマンドやデータを受信し、ＲＩＰ処理を行い、ラスターデータに変換する。ここでは、ＣＰＵ２０４でＲＩＰ処理を行うことにしてあるが、ＲＩＰ用の処理を行う専用のハードウェアを実装するようにしてもよい。ＲＩＰ処理で作成されたラスターデータは、一時記憶手段に記憶され、画像出力装置２０５から出力されると同時に、圧縮伸張手段２０２で圧縮処理を施して、ネットワーク接続手段２０１を介してネットワーク経由で、スプール機能付プリンタに送信される。また、一連のプリント処理を特定するための付帯情報、例えばプリントされる文書名、プリント時刻、プリントを指示したホストコンピュータを特定するホスト名やユーザーアカウント名、プリントしたページ数などの情報も送信する。付帯情報は、再利用時の検索性を容易にして、かつ該一連のプリント処理を特定可能にするような、適当に割り振られた記号の羅列などで代用することも可能であり、該スプール機能付プリンタ１０１と該プリンタ１０３で同じ記号の羅列を記憶しておくことにしてもよい。また、該付帯情報とスプール代替を許可した該スプール付プリンタの機体を特定するためのスプール機体特定情報は、付帯情報記憶手段２０６にも記憶しておく。該スプール機体特定情報は、ネットワークがＴＣＰ／ＩＰを利用しているのであれば、ＩＰアドレスでもよいし、Ｅｔｈｅｒｎｅｔ(登録商標)を利用しているのであれば、ネットワーク接続手段にユニークな番号として実装されているＭＡＣアドレスを利用してもよい。
【００２９】
該スプール機能付プリンタ１０１は、該ラスターデータと、該一連のプリント処理を特定するための付帯情報を受信し、該ラスターデータを再利用可能な状態で、スプールデータ記憶手段３０６に記憶する。図４は、スプールデータ記憶手段の記憶状態の一例を模式的に表した図である。付帯情報記憶部とラスターデータ記憶部にわかれている。再プリント時にデータを検索する際は、付帯情報記憶部内で、文書名やプリント時刻等の情報を検索し、データを特定することで、検索性を容易にするように本実施例では記述している。
【００３０】
図４Ａでは、付帯情報記憶部内に、記憶されている一連のプリント処理に対応するラスターデータごとに付帯情報を記憶するようになっている。図４Ｂは、ラスターデータごとの付帯情報をより詳しく記述している。上から文書名、プリント時刻、ラスターデータＡが記憶されている部分の先頭アドレス、ラスターデータＡのデータ容量などが、記憶されており、ラスターデータＡの再プリント指示がきた場合には、ラスターデータＡの付帯情報記憶部を参照して、ラスターデータＡの記憶されている記憶部位を読み出すことになる。
【００３１】
再プリントの指示は、プリンタ１０３の本体のユーザーインターフェース（例えば、タッチパネル付きのディスプレイ）に付帯情報記憶手段２０６から付帯情報を読み出して、付帯情報一覧を表示して、指定することも可能であるし、ホストコンピュータ１０４経由で指定するように実装してもよい。例えば、ホストコンピュータ１０４の再プリント指示をするためのアプリケーションから、プリンタ１０３に再プリント可能な一連のプリント処理の一覧を問い合わせると、プリンタ１０３は、付帯情報記憶手段２０６から、付帯情報を読み出して、ホストコンピュータに接続されたディスプレイに付帯情報一覧を表示する。
【００３２】
図５は、表示されたプリンタ１０３の付帯情報一覧の表を表したものである。操作者は、図５のような一覧表を参照し、操作者所望の文書の再プリント指示を行う。再プリント可否の欄は、再プリント可能な状態であるかどうかを表しており、上述した“スプールできなかったことを示す信号”がかかれている場合に不可と表示して、操作者に再プリントできないことを示すようにしてもよい。
【００３３】
また、再プリント指示があった場合に、プリンタ１０３とスプール機能付プリンタ１０１がほぼ同じ階調特性をもつプリンタであるならば、スプール機能付プリンタ１０１から再プリントをするように実装することも可能であり、この場合は、ネットワーク負荷軽減、転送時間の省略することができる。
【００３４】
以上説明してきたように、本実施例で説明したような実施形態をとることで、安価にスプール機能を実施可能なプリンタを実現できる。
【００３５】
（実施例２）
図６に本実施例を説明する図を示す。
【００３６】
請求項１に上述した通り、文字、図形、ビットマップなどのコマンドおよびデータを受け取ってラスターデータに変換し、画像を出力するプリンタのうち、再利用可能なラスターデータを記憶しておく記憶手段を備えたプリンタをここでは、スプール機能付プリンタと呼ぶ。該記憶手段のことをスプールデータ記憶手段と呼ぶことにする。
【００３７】
図６で、６０１はスプール機能付プリンタ１、６０２は、６０１とは別の機体であるスプール付プリンタ２、６０３は、該記憶手段を持たないプリンタ１、図には単にプリンタと記述してある。６０４は、ホストコンピュータ、６０５は、Ｅｔｈｅｒｎｅｔ(登録商標)等を利用して相互に接続することを可能にするネットワークを模式的に表している。
【００３８】
プリンタ６０３は、図２と同じ構成であり、スプール機能付プリンタ１  ６０１とスプール機能付プリンタ２  ６０２は、図３と同じ構成でよいので、ここでは、説明を省略する。
【００３９】
本実施例では、複数台のスプール機能付プリンタがネットワーク上に接続された場合について説明していく。
【００４０】
図２，３，６を用いて、詳細に説明していく。
【００４１】
まず、ホストコンピュータ１０４は、ワードプロセッサや表計算などのアプリケーションを用いて作成された文書をプリントするために、プリンタ１０３にプリント処理を指示する。
【００４２】
プリンタ１０３は、該プリント処理の指示されると、スプール付プリンタにスプール代替要求を送信する。ここで、実施例１と異なるのは、複数台のスプール機能付プリンタにスプール代替要求を送信することである。また、本実施例では２台であるが、３台以上でも実施可能であることはいうまでもない。
【００４３】
スプール付プリンタ６０１は、スプール代替要求を受信すると、該スプール付プリンタの状態に応じて、スプール代替の許可信号、不許可信号を返信する。
【００４４】
スプール付プリンタ６０２も同様に、スプール代替要求を受信すると、該スプール付プリンタの状態に応じて、スプール代替の許可信号、不許可信号を返信する。
【００４５】
該プリンタ６０３は、全てのスプール機能付プリンタ（ここでは、２台である）からスプール代替の不許可信号を受信した場合は、付帯情報記憶手段２０６に、一連のプリント処理の付帯情報、例えばプリントされる文書名、プリント時刻、プリントを指示したホストコンピュータを特定するホスト名やユーザーアカウント名などの情報とともに、スプールできなかったことを示す信号を記憶し、プリント処理を続行することになる。ホストコンピュータ１０４から、文字、図形、ビットマップなどのコマンドやデータを受信し、ＲＩＰ処理を行い、ラスターデータに変換し、一時記憶手段に記憶して、画像出力装置から画像を出力する。
【００４６】
該プリンタ６０３は、複数台のスプール機能付プリンタのうちの１台のみからスプール代替の許可信号を受信すると、スプール代替の許可信号を返信したスプール機能付プリンタを選択する。例えば、スプール機能付プリンタ２は、他のプリント処理を実行中であり、プリント代替要求に対して不許可信号を返信し、スプール機能付プリンタ１は、スプール代替可能な状況であり、許可信号を返信した場合には、スプール機能付プリンタ１を選択して、実施例１と同様に、スプール代替機能を実施する。
【００４７】
該プリンタ６０３は、複数台のスプール機能付プリンタのうちの２台以上からスプール代替の許可信号を受信すると、許可信号を返信したスプール機能付プリンタのうちのいずれかを自動的に１台選択し、実施例１と同様に、スプール代替機能を実施する。例えば、スプール機能付プリンタ１とスプール機能付プリンタ２がどちらも許可信号を返信してきた場合は、スプール機能付プリンタ１を選択するといった優先順位を予めつけておくことで、自動で選択する機能を実施してもよいし、複数台のスプール機能付プリンタのもつそれぞれのスプールデータ記憶手段３０５のうち、利用可能な記憶容量を問い合わせて、最も利用可能な記憶容量が多いスプール機能付プリンタを選択するように実施してもよく、自動で選択できる実施形態であれば本実施例に記載の方法でなくてもよい。
【００４８】
また、該付帯情報とスプール代替を許可した該スプール付プリンタの機体を特定するためのスプール機体特定情報は、付帯情報記憶手段２０６に記憶されると実施例１には記載してあるが、本実施例であれば、スプール機能付プリンタ１でスプール代替処理を行う場合には、スプール機能つきプリンタ１の機体を特定できる情報をスプール機能付プリンタ２でスプール代替処理を行う場合は、スプール機能付プリンタ２の機体を特定できる情報を記憶しておくことになる。
【００４９】
図５は、実施例１でも説明に用いられているが、表示されたプリンタ６０３の付帯情報一覧の表を表したものとする。操作者は、図５のような一覧表を参照し、操作者所望の文書の再プリント指示を行う。
【００５０】
ここで、文書名Ｐａｔｅｎｔ．ｄｏｃという文書のラスターデータは、スプール機能付プリンタ１のスプールデータ記憶手段に記憶されており、Ｂｅｅｒ．ｄｏｃという文書のラスターデータは、スプール機能付プリンタ２のスプールデータ記憶手段に記憶されているとする。
【００５１】
例えば、Ｐａｔｅｎｔ．ｄｏｃの再プリント指示をだすと、プリンタ６０３は、付帯情報記憶手段２０６を読み出して、Ｐａｔｅｎｔ．ｄｏｃに対応する外スプール機体特定情報から、プリンタ機能付プリンタ１に記憶されていることを認識して、スプール機能付プリンタ１からラスターデータを受信して再プリントを行う。Ｂｅｅｒ．ｄｏｃであれば、同様にスプール機能付プリンタ２からラスターデータを受信して再プリントを行う。これらは、再プリントの指示がでると自動的に行われ、ユーザは、再プリント指示をだす際に、どのスプール機能付プリンタにラスターデータが記憶されているのかを意識する必要はない。
【００５２】
複数台のスプール機能付プリンタに、分散してスプール代替処理を行うための実施形態を説明してきたが、実施例１に比べて、１台のスプール機能付プリンタが、スプール代替処理できない状況にあっても、別のスプール機能付プリンタによりスプール代替処理が行えるようにすることで、スプール代替処理が失敗する確率が減り、スプール代替処理のサービス性が向上する。
【００５３】
また、再プリント指示があった場合に、プリンタ６０３とスプール機能付プリンタ１６０１とスプール機能付プリンタ２  ６０２とがほぼ同じ階調特性をもつプリンタであるならば、スプール機能付プリンタ１  ６０１もしくはスプール機能付プリンタ２  ６０２のうちの実際にスプールを行っているプリンタから再プリントをするように実装することも可能であり、この場合は、ネットワーク負荷軽減、転送時間の省略することができる。
【図面の簡単な説明】
【００５４】
【図１】本発明の実施例１の特徴表した図である。
【図２】スプール用の記憶手段を持たないプリンタを説明する図である。
【図３】スプール記憶手段をもつ、スプール機能付プリンタを説明する図である。
【図４】スプール記憶手段内部の記憶状態を説明する図である。
【図５】再プリント指示のためのスプール文書一覧の表示を説明した図である。
【図６】本発明の実施例２の特徴を表した図である。
【符号の説明】
【００５５】
１０１  スプール機能付プリンタ
１０３  プリンタ
１０４  ホストコンピュータ
１０５  ネットワーク
【図１】
2005346443.tif 000003
【図２】
2005346443.tif 000004
【図３】
2005346443.tif 000005
【図４】
2005346443.tif 000006
【図５】
2005346443.tif 000007
【図６】
2005346443.tif 000008